(57)【要約】    【課題】施工容易な雨水等貯留浸透施設用半割り部材、雨水等貯留浸透施設用構造体、及び、これを用いた雨水等貯留浸透施設を提供する。    【解決手段】基体部１０は、合成樹脂材料からなり、断面円弧形状を有する。凸部１１及び凹部１２は、内周面１１０及び外周面１２０において、軸方向に交互に連続し、且、径方向に延びている。  上述した割り部材１は、複数が組み合わされて構造体３となる。構造体３は、第１の連結具３１とを含む。半割り部材１のそれぞれは接合面１３を有し、接合面１３は基体部１０の両端に備えられている。半割り部材１は、接合面１３が相対向して組み合わされて筒状体３０を構成し、相対向部分に中空部３００を有する。第１の連結具３１は、接合面１３において、隣接する半割り部材１を連結している。  上記の構造体３は、処理層６とともに雨水等貯留浸透施設を構成する。【選択図】    図１２
2005036569.tif 000002
【特許請求の範囲】
【請求項１】
基体部と、凸部と、凹部とを含む雨水等貯留浸透施設用半割り部材であって、
前記基体部は、合成樹脂材料からなり、断面円弧形状を有し、
前記凸部及び凹部は、前記基体部の内周面及び外周面において、軸方向に交互に連続し、且、径方向に延びている
雨水等貯留浸透施設用半割り部材。
【請求項２】
少なくとも２つの雨水等貯留浸透施設用半割り部材と、第１の連結具とを含む雨水等貯留浸透施設用構造体であって、
前記少なくとも２つの雨水等貯留浸透施設用半割り部材それぞれは、請求項１に記載されたものであって、さらに接合面を有し、
前記接合面は、前記基体部の両端に備えられており、
前記少なくとも２つの雨水等貯留浸透施設用半割り部材は、同形状のものが用いられており、前記接合面が相対向して組み合わされて筒状体を構成し、相対向する前記内周面の相互間に中空部を有し、
前記第１の連結具は、前記接合面において、隣接する雨水等貯留浸透施設用半割り部材を連結している
雨水等貯留浸透施設用構造体。
【請求項３】
複数の筒状体と、第２の連結具とを含む雨水等貯留浸透施設用構造体であって、
前記複数の筒状体のそれぞれは、請求項２に記載されたものでなり、
前記第２の連結具は、前記複数の筒状体において、それぞれ隣接する凸部を連結している
雨水等貯留浸透施設用構造体。
【請求項４】
複数の筒状体と、第２の連結具とを含む雨水等貯留浸透施設用構造体であって、
前記複数の筒状体のそれぞれは、請求項３に記載されたものでなり、
前記第２の連結具は、連結板と、楔とを含み、
前記第２の連結具は、連結板がそれぞれ隣接する凸部に載置され、且、前記楔が前記凸部と前記連結板とを貫通し、隣接する前記複数の筒状体を連結している
雨水等貯留浸透施設用構造体。
【請求項５】
雨水等貯留浸透施設用構造体と、遮水層とを含む雨水等貯留施設であって、
前記雨水等貯留浸透施設用構造体は、請求項２乃至４のいずれかに記載されたものでなり、地中に埋設されており、
前記遮水層は、前記雨水等貯留浸透施設用構造体の周囲に設けられている
雨水等貯留施設。
【請求項６】
雨水等貯留浸透施設用構造体と、透水層とを含む雨水等浸透施設であって、
前記雨水等貯留浸透施設用構造体は、請求項２乃至４のいずれかに記載されたものでなり、地中に埋設されており、
前記透水層は、前記雨水等貯留浸透施設用構造体の周囲に設けられている
雨水等浸透施設。
【発明の詳細な説明】
【技術分野】
【０００１】
本発明は、雨水等貯留浸透施設用半割り部材、雨水等貯留浸透施設用構造体、及び、雨水等貯留浸透施設に関する。本発明に係る雨水等貯留浸透施設は、雨水等の貯留施設と、貯留した雨水等を地中に緩やかに排出する浸透施設との両者を含む。
【背景技術】
【０００２】
この種の雨水等貯留浸透施設は、集水した雨水等の貯留施設として地中に埋設される雨水等貯留施設と、集水した雨水等を一時的に貯留してのち、地中に緩やかに浸透させて排出することにより、河川への急激な雨水等の流入を調整する目的や、地下水脈への浸透水量を確保し地盤沈下を抑止する目的で、地中に埋設される雨水等浸透施設との両者がある。
【０００３】
上述した雨水等貯留浸透施設は、一般に、何らかの構造体を内蔵している。この種の構造体は、雨水等貯留浸透施設の内部において、設置穴の内壁面の崩壊を防止し、雨水等の貯留空間を確保するためのものであって、従来より種々のタイプのものが提案され、実用に供されている。
【０００４】
例えば、特許文献１は、同形状の溝状部材を対向させて組み合わせた筒体を備え、前記溝状部材は、該溝状部材の側壁内面に沿って周方向に形成された突起を有し、該突起は、前記溝状部材の開口面に対向する中央部分が前記側壁内面位置まで凹んでなる雨水等貯留浸透施設用構造体を開示している。
【０００５】
特許文献２は、筒状部材と、該筒状部材を連結する環状部材とを備え、前記筒状部材は該筒状部材の筒壁に複数の孔を有し、前記環状部材は前記筒状部材の外側形状または内側形状に適合し該筒状部材を挿入可能な被挿入部および前記筒壁の内面位置から内方に突出する突起を有してなる雨水等貯留浸透施設用構造体を開示している。
【０００６】
特許文献３は、剛性を保持する複数の剛性保持部と、該剛性保持部同士の間に位置し該剛性保持部同士を連結する連結部とを備え、水路を形成する筒状部材の外側面を囲うことが可能な雨水等貯留浸透施設用構造体を開示している。
【０００７】
しかし、上述した従来技術に係る雨水等貯留浸透施設用構造体は、いずれも複数の構成部材の組合せからなる筒状体であって、その構成部材自体が備える結合構造により連結されている。即ち、各構成部材は相互に正確に嵌合しうる結合部を備える必要があるから、製造コストを低減することができない。
【０００８】
上述した構成部材を組み合わせる場合、それぞれの結合部を正確に位置決めする必要がある。しかも、構成部材は相当な重量を有するから慎重な作業が要求される。従って、構成部材の結合作業に熟練を要するという問題がある。
【０００９】
さらに、雨水等貯留浸透施設において、構造体は一般に大規模なものが用いられるから、上述した構成部材の結合作業を大量に反復継続して行うこととなる。従って、構造体の効率的な組立が困難であるという問題がある。
【００１０】
上述したように、雨水等貯留浸透施設において、各構成部材は大量に用いられる。従来技術に係る構造体は、筒状体を構成する結合構造の他に、土圧等の押圧力に対抗し得るだけの構造的強度を確保するため、さらに隣接する筒状体相互間を連結する作業が必要になる。この連結作業は、上述した結合作業とは別個に行われることとなるから、雨水等貯留浸透施設の施工作業が複雑化する点で問題がある。
【特許文献１】特開２００２−１２９６３９号公報
【特許文献２】特開２００２−３１７４８５号公報
【特許文献３】特開２００２−３２７８６１号公報
【発明の開示】
【発明が解決しようとする課題】
【００１１】
本発明の課題は、施工容易な雨水等貯留浸透施設用半割り部材、雨水等貯留浸透施設用構造体、及び、これを用いた雨水等貯留浸透施設を提供することである。
【００１２】
本発明のもう１つの課題は、優れた構造的強度を有する雨水等貯留浸透施設用半割り部材、雨水等貯留浸透施設用構造体、及び、これを用いた雨水等貯留浸透施設を提供することである。
【００１３】
本発明の更にもう一つの課題は、製造容易な雨水等貯留浸透施設用半割り部材、雨水等貯留浸透施設用構造体、及び、これを用いた雨水等貯留浸透施設を提供することである。
【課題を解決するための手段】
【００１４】
上述した課題を解決するため、本発明に係る雨水等貯留浸透施設用半割り部材は、基体部と、凸部と、凹部とを含む。前記基体部は、合成樹脂材料からなり、断面円弧形状を有する。前記凸部及び凹部は、前記基体部の内周面及び外周面において、軸方向に交互に連続し、且、径方向に延びている。
【００１５】
上記の雨水等貯留浸透施設用半割り部材は、複数が組み合わされて雨水等貯留浸透施設用構造体として用いられる。雨水等貯留浸透施設用構造体は、少なくとも２つの雨水等貯留浸透施設用半割り部材と、第１の連結具とを含む。前記少なくとも２つの雨水等貯留浸透施設用半割り部材それぞれは、さらに接合面を有する。前記接合面は、前記基体部の両端に備えられている。前記少なくとも２つの雨水等貯留浸透施設用半割り部材は、同形状のものが用いられており、前記接合面が相対向して組み合わされて筒状体を構成し、相対向部分に中空部を有する。前記第１の連結具は、前記接合面において、隣接する雨水等貯留浸透施設用半割り部材を連結している。
【００１６】
上記の雨水等貯留浸透施設用構造体は、雨水等貯留浸透施設を構成する。前記雨水等貯留浸透施設用構造体は、地中に埋設されている。前記雨水等貯留浸透施設用構造体の周囲には、遮水層又は透水層が設けられている。
【００１７】
上述したように、雨水等貯留浸透施設用半割り部材は、基体部と、凸部と、凹部とを含む。雨水等貯留浸透施設用半割り部材は、基体部が合成樹脂材料からなることにより、成形及び加工が容易である。
【００１８】
凸部及び凹部は、基体部の内周面及び外周面において、軸方向に交互に連続し、且、径方向に延びる。従って、基体部は、内周面に広い表面積を有することができる。また、雨水等貯留浸透施設用半割り部材は、基体部が凹凸形状を有することにより、優れた構造的強度を有する。
【００１９】
さらに、基体部は断面円弧形状を有するから、凹凸形状を同一ピッチで成形することにより、相互に密着して重ね合わせることができ、嵩張ることがない。このため、雨水等貯留浸透施設用半割り部材は運搬が容易である。
【００２０】
雨水等貯留浸透施設用構造体は、少なくとも２つの雨水等貯留浸透施設用半割り部材と、第１の連結具とを含む。少なくとも２つの雨水等貯留浸透施設用半割り部材は、同形状のものが用いられている。従って、雨水等貯留浸透施設用構造体において、筒状体の製造コストを低減することができる。
【００２１】
さらに、雨水等貯留浸透施設用半割り部材それぞれは、接合面を有する。接合面は、基体部の両端に備えられている。従って、相互に上下反転して筒状体を構成した場合に、一方の雨水等貯留浸透施設用半割り部材の上に、もう一つの雨水等貯留浸透施設用半割り部材を安定して載置することができる。
【００２２】
少なくとも２つの雨水等貯留浸透施設用半割り部材は、接合面が相対向して組み合わされて筒状体を構成し、相対向する内周面の相互間に中空部を有する。雨水等貯留浸透施設用半割り部材の内周面は、上述した凹凸形状により広い表面積を有するから、中空部も雨水等の貯留空間として十分な広さを有することができる。
【００２３】
第１の連結具は、接合面において、隣接する雨水等貯留浸透施設用半割り部材を連結している。上述したように雨水等貯留浸透施設用半割り部材は、両端に接合面を有し、相互に反転して筒状体に組み合わせる場合に、一方の雨水等貯留浸透施設用半割り部材の上に安定して載置することができるから、連結具の設置が容易である。また、隣接する雨水等貯留浸透施設用半割り部材が安定して載置されていることにより、連結具は両者を効率的に結合しうる。従って、雨水等貯留浸透施設用構造体は、優れた構造的一体性を有することができる。
【００２４】
雨水等貯留浸透施設用構造体は、その結合態様において別異の連結具を含む構造により、その構成部材たる半割り部材の載置作業と、結合作業とを分離して行うことができる。従って、熟練を要することなく構造体の組立作業を行うことができるとともに、施工条件に合わせた構造体を提供することができる。
【００２５】
本発明に係る雨水等貯留浸透施設用構造体は、好ましい１つの態様として、複数の筒状体と、第２の連結具とを含む。複数の筒状体は、それぞれ隣接する凸部が、第２の連結具により連結されている。凸部は、内周面及び外周面において軸方向に交互に連続し、且、径方向に延びるから、上述した結合構造を、任意の場所で実行することができる。従って、雨水等貯留浸透施設用構造体の結合作業を容易に実行することができる。また、任意の場所で結合することができるから、優れた構造的強度を有することができる。さらに、筒状体を任意の規模で連結できるから、雨水等貯留浸透施設用構造体は、設置場所の寸法に容易に追従することができる。
【００２６】
本発明に係る雨水等貯留浸透施設用構造体は、好ましいもう１つの態様として、複数の筒状体と、第２の連結具とを含む。第２の連結具は、連結板と、楔とを含む。第２の連結具は、連結板がそれぞれ隣接する凸部に載置され、且、楔が凸部と連結板とを貫通し、隣接する複数の筒状体を連結している。凸部は、内周面及び外周面において軸方向に交互に連続し、且、径方向に延びるから、上述した結合構造を、任意の場所で実行することができる。従って、雨水等貯留浸透施設用構造体の結合作業を容易に実行することができる。また、任意の場所で結合することができるから、優れた構造的強度を有することができる。さらに、筒状体を任意の規模で連結できるから、雨水等貯留浸透施設用構造体は、設置場所の寸法に容易に追従することができる。
【００２７】
本発明にかかる雨水等貯留浸透施設は、上述した雨水等貯留浸透施設用構造体を含む。従って、上述した雨水等貯留浸透施設用構造体の利点を全て有する。
【００２８】
また、雨水等貯留浸透施設は透水層又は遮水層を有し、透水層又は遮水層は、雨水等貯留浸透施設用構造体の周囲に設けられている。即ち、雨水等浸透施設を構成する場合には雨水等貯留浸透施設用構造体の周囲に透水層が備えられ、雨水等貯留施設を構成する場合には遮水層が備えられる。従って、雨水等貯留浸透施設を容易に設置することができる。
【００２９】
本発明の他の目的、構成及び利点については、添付図面を参照し、更に詳しく説明する。添付図面は、単に、例示に過ぎない。
【発明の効果】
【００３０】
以上述べたように、本発明によれば、次のような効果を得ることができる。
【００３１】
（ａ）施工容易な雨水等貯留浸透施設用半割り部材、雨水等貯留浸透施設用構造体、及び、これを用いた雨水等貯留浸透施設を提供することができる。
【００３２】
（ｂ）優れた構造的強度を有する雨水等貯留浸透施設用半割り部材、雨水等貯留浸透施設用施設、及び、これを用いた雨水等貯留浸透施設を提供することができる。
【００３３】
（ｃ）製造容易な雨水等貯留浸透施設用半割り部材、雨水等貯留浸透施設用施設、及び、これを用いた雨水等貯留浸透施設を提供することができる。
【発明を実施するための最良の形態】
【００３４】
図１は本発明に係る雨水等貯留浸透施設用半割り部材の斜視図、図２は図１に示した雨水等貯留浸透施設用半割り部材の側面図、図３は図１に示した雨水等貯留浸透施設用半割り部材の底面図である。図１乃至図３を参照すると、雨水等貯留浸透施設用半割り部材は、基体部１０と、凸部１１と、凹部１２とを含む。
【００３５】
基体部１０は、合成樹脂材料からなる。用いられる合成樹脂材料としては、成形容易性、加工容易性、及び、組み立て容易性の観点から、ポリプロピレン（ＰＰ）、またはポリ塩化ビニル（ＰＶＣ）等が一般的である。
【００３６】
凸部１１及び凹部１２は、基体部１０の内周面１１０及び外周面１２０に備えられ、軸ａで示す方向に交互に連続し、且、径方向に延びている。内周面１１０における凹部１２は、外周面１２０において凸部１１となっている。上述したように基体部１０は合成樹脂材料で構成されているから、基体部１０の表裏両面において、交互に繰り返す条状の凸部１１及び凹部１２を成形することが容易である。
【００３７】
基体部１０は、断面円弧形状を有する。なお、本明細書において、断面円弧状の「円弧状」とは、必ずしも一定点を有する真円の円周の一部に限定されない。例えば、図示する雨水等貯留浸透施設用半割り部材は、基体部１０の円弧状の外形形状に、接合面１３、支持部１５、及び、脚部１６を含むことができる。支持部１５は、主として雨水等貯留浸透施設用半割り部材の設置姿勢を安定化するために備えられている。また、脚部１６は、雨水等貯留浸透施設用半割り部材の設置姿勢を安定化するとともに、連続する凸部１１の相互間を架橋することにより構造的強度を向上している。
【００３８】
雨水等貯留浸透施設用半割り部材は、接合面１３を有する。接合面１３は、基体部１０の周方向の両端に備えられている。図示する接合面１３は凸部１１及び凹部１２と直交する平板形状を有し、その面内に貫通孔１４を有している。
【００３９】
上述した構造によると、雨水等貯留浸透施設用半割り部材は、基体部１０が、凸部１１及び凹部１２を備えることにより、内周面１１０に広い表面積を有することができるとともに、優れた構造的強度を有する。
【００４０】
さらに、基体部１０は断面円弧形状を有するから、凹凸形状を同一ピッチで成形することにより、相互に密着して重ね合わせることができ、嵩張ることがない。このため、雨水等貯留浸透施設用半割り部材は運搬が容易である。
【００４１】
但し、図示する雨水等貯留浸透施設用半割り部材において、凸部１１及び凹部１２の設置数は、設計的事項に属する。例えば、雨水等貯留浸透施設用半割り部材の長さ寸法や、凸部１１及び凹部１２のピッチ数、ピッチ間隔を設定することにより、凸部１１及び凹部１２の設置数を調節し得ることは自明である。
【００４２】
上述した雨水等貯留浸透施設用半割り部材は、連結具と組み合わされて、雨水等貯留浸透施設用構造体を構成する。次に、本発明に係る雨水等貯留浸透施設用構造体について説明する。図４は雨水等貯留浸透施設用構造体の分解構造を示す斜視図、図５は図４に示した雨水等貯留浸透施設用構造体の斜視図である。
【００４３】
図４及び図５に示した雨水等貯留浸透施設用構造体は、半割り部材１ａ、１ｂを含む。半割り部材１ａ、１ｂのそれぞれは、図１乃至図３に示した雨水等貯留浸透施設用半割り部材と同じ構造を有する。従って、図１乃至図３に図示した構成部分と同一の構成部分には、同一の参照符号を付し、重複説明を省略する。
【００４４】
図４を参照すると、半割り部材１ａは、半割り部材１ｂに対して上下反転して配置されている。２つの雨水等貯留浸透施設用半割り部材１ａ、１ｂには、同形状のものが用いられている。上述した構造によると、両者を正確に組み合わせることが容易であるとともに、筒状体の製造コストを低減することができる。
【００４５】
図５を参照すると、雨水等貯留浸透施設用半割り部材１ａ、１ｂは、それぞれの接合面１３が相対向して組み合わされて筒状体を構成している。接合面１３は好ましくは平板状であるから、半割り部材１ｂの上に、半割り部材１ａを反転して載置することが容易であるとともに、半割り部材１ａは安定した載置姿勢を維持することができる。
【００４６】
半割り部材１ａ、１ｂそれぞれの相対向する内周面１１０の間には、中空部３００が形成される。中空部３００は雨水等の貯留空間として機能する。半割り部材１ａ、１ｂの内周面１１０は、上述した凹凸形状により広い表面積を有するから、中空部３００も雨水等の貯留空間として十分な広さを有することができる。
【００４７】
雨水等貯留浸透施設用構造体は、第１の連結具３１を有する。第１の連結具３１は、結合強度を確保するため硬質プラスチック、強化プラスチック、または、金属材料でなることが好ましい。第１の連結具３１は、好ましくは楔状体であって、ハンマー等の工具により打設される。より具体的に説明すると、第１の連結具３１は、重なり合う接合面１３のそれぞれの貫通孔１４を貫通し、半割り部材１ａ、１ｂを結合している。貫通孔１４の内径は、好ましくは第１の連結具３１の径寸法に等しいか、小さめに設定されており、第１の連結具３１を打設した場合に、両者を貫通するとともに結合する。隣接する半割り部材１ａ、１ｂが安定して載置されていることにより、接合面１３を貫通する第１の連結具３１は良好な結合力を維持することができる。従って、雨水等貯留浸透施設用構造体は、優れた構造的一体性を有することができる。
【００４８】
但し、貫通孔１４は、必ずしも予め設置しておかなくともよい。例えば、非貫通孔を設けることにより、第１の連結具３１の打設位置を指定するに留めることができる。さらに、非貫通孔等を一切設けず、接合面１３の任意の箇所に第１の連結具３１を直接打ち込むこともできる。雨水等貯留浸透施設用半割り部材施設用半割り部材１ａ、１ｂは、それぞれの基体部１０が合成樹脂材料でなるから、第１の連結具３１の先端形状及び材質の選定により、打設容易な第１の連結具３１を得ることができる。
【００４９】
また、第１の連結具３１は、必ずしも楔状体でなくともよい。例えば、第１の連結具３１に螺子状体を用いた場合、半割り部材１ａを貫通した一端が、半割り部材１ｂの接合面１３の内部に到達すれば、これを貫通することなく両者を結合することができる。
【００５０】
上述説明から明らかなように、雨水等貯留浸透施設用構造体の組立態様は、別異の連結具を有することにより、その構成部材たる半割り部材１ａ、１ｂの載置と、結合とを分離して行うことができる。従って、熟練を要することなく構造体の組立を行うことができるとともに、施工条件に合わせた構造体を提供することができる。例えば、第１の連結具３１の設置数を増加することにより、より優れた構造的強度を有する構造体を提供しうることは自明である。
【００５１】
図示する雨水等貯留浸透施設用構造体において、雨水等貯留浸透施設用半割り部材１ａは支持部１６に貫通孔１４を有する。この点については、図１１を参照して説明する。
【００５２】
図６は、本発明に係る雨水等貯留浸透施設用構造体の異なる実施例を示す斜視図である。図６に示した雨水等貯留浸透施設用構造体は、２つの筒状体３０ａ、３０ｂと、第２の連結具３２とを含む。筒状体３０ａ、３０ｂのそれぞれは、図４及び図５で示した雨水等貯留浸透施設用構造体に用いられる筒状体と同じ構造を有する。第２の連結具３２は、楔３２１と、連結板３２２とを含む。
【００５３】
２つの筒状体３０ａ、３０ｂは矢印Ｙで示す横方向に並べて配置されており、第２の連結具３２は、連結板３２２が筒状体３０ａ、３０ｂそれぞれの隣接する凸部１１に配置され、且、楔３２１が凸部１１と連結板３２２とを貫通し、筒状体３０ａ、３０ｂを連結している。第２の連結具３２は、筒状体３０ａ、３０ｂにおいて、それぞれの凸部１１の相互間に距離がある場合にも連結板３２２を差し渡すことで連結構造を有することができる。また、連結板３２２の形状及び厚みは、設置場所、必要とされる結合強度等により自由に設定することができる。
【００５４】
上述説明から明らかなように、雨水等貯留浸透施設用構造体の組立態様は、第２の連結具３２を用いることにより、その構成部材たる筒状体３０ａ、３０ｂの配置と、結合とを分離して行うことができる。従って、熟練を要することなく構造体の組立を行うことができるとともに、施工条件に合わせた構造体を提供することができる。例えば、第２の連結具３２の設置数を増加することにより、より優れた構造的強度を有する構造体を提供できる。
【００５５】
図７は本発明に係る雨水等貯留浸透施設用構造体の異なる実施例を示す斜視図、図８は図７に示した雨水等貯留浸透施設用構造体の平面図、図９は図７に示した雨水等貯留浸透施設用構造体の内部構造を示す図である。
【００５６】
図７乃至図９に示した雨水等貯留浸透施設用構造体は、図６に示した雨水等貯留浸透施設用構造体とは、２つの筒状体３０ａ、３０ｂが矢印Ｘで示す長さ方向に配置されている点で異なる。第２の連結具３２は、連結板３２２が筒状体３０ａ、３０ｂそれぞれの隣接する凸部１１に配置され、且、楔３２１が凸部１１と連結板３２２とを貫通し、筒状体３０ａ、３０ｂを連結している。
【００５７】
凸部１１は、内周面１１０及び外周面１２０において長さ方向Ｘに交互に連続し、且、径方向に延びる。図９からは必ずしも明らかではないが、中空部３００の内径は、好ましくは１００ｃｍ程度に設定されているから、作業員が中空部３００の内部に侵入することができる。従って、雨水等貯留浸透施設用構造体は、筒状体３０の内周面側においても、その凸部１１の任意の場所に、第２の連結具３２を備えることができる。
【００５８】
図１０は本発明に係る雨水等貯留浸透施設用構造体のさらに異なる実施例を示す斜視図、図１１は図１０に示す１１−１１線に沿った断面図である。図１０及び図１１を参照すると、雨水等貯留浸透施設用構造体は、４つの筒状体３０ａ乃至３０ｄと、第２の連結具３２とを含む。
【００５９】
４つの筒状体３０ａ乃至３０ｄは、筒状体３０ａ、３０ｃ、及び筒状体３０ｂ、３０ｄが矢印Ｙで示す横方向に並べられており、筒状体３０ａ、３０ｂ、及び筒状体３０ｃ、３０ｄが矢印Ｚで示す高さ方向に配置されている。
【００６０】
すでに図６を参照して説明したように、筒状体３０ａ、３０ｃ、及び、筒状体３０ｂ、３０ｄは、それぞれ隣接する凸部１１が、第２の連結具３２によって連結されている。
【００６１】
さらに、図１１を参照すると、筒状体３０ａ、３０ｂ及び筒状体３０ｃ、３０ｄは、第１の連結具３１により連結されている。図５を参照して説明したのと同様に、第１の連結具３１は、好ましくは楔状体であって、ハンマー等の工具により打設される。第１の連結具３１は、重なり合う支持部１６のそれぞれの貫通孔１４を貫通し、矢印Ｚで示す高さ方向に隣接する筒状体３０ａ、３０ｂ、及び、筒状体３０ｃ、３０ｄを連結している。
【００６２】
図１０及び図１１に示す雨水等貯留浸透施設用構造体は、踏板４を含む。踏板４は組み合わされた筒状体３０ａと、筒状体３０ｃとの間に設置され、両者の間に生じる隙間を被覆する。踏板４は、通常、雨水等貯留浸透施設用構造体の最上面部分に設置される。従って、作業員が雨水等貯留浸透施設用構造体の上部を安全に歩行し得るとともに、図示する構造体が雨水等貯留浸透施設に用いられた場合に、地表面から加えられる押し圧力を均一に支持することができる。
【００６３】
図１２は、本発明に係る雨水等貯留浸透施設用構造体のさらに異なる実施例を示す斜視図である。図１２に示す雨水等貯留浸透施設用構造体は、図４乃至図１１に示した雨水等貯留浸透施設用構造体の連結態様を全て適用したものであって、複数の筒状体３０は、第１及び第２の連結具３１、３２により、長さ方向Ｘ、横方向Ｙ及び高さ方向Ｚにそれぞれ連結され、一体的な構造物となっている。
【００６４】
また、図示する雨水等貯留浸透施設用構造体は、踏板４を有する。踏板４は、図１１と同様に、高さ方向Ｚの最上部に複数の踏板４が配置され、隣接する筒状体３０相互間の隙間を埋めている。踏板４は、長さ方向Ｘに長いものを用いることもできる。
【００６５】
実施例６に示す雨水等貯留浸透施設用構造体は、実施例１乃至５で説明した連結態様を全て適用したものであって、筒状体３０を任意の規模で連結している。従って、雨水等貯留浸透施設用構造体は、設置場所の寸法に容易に追従することができる。
【００６６】
上述説明から明らかなように、図１３に示す雨水等貯留浸透施設用構造体は、半割り部材の結合構造と、半割り部材を結合して得られる筒状体相互の連結構造とを含む。上述した結合構造及び連結構造には、何れも別部材である連結具が含まれる。しかも、図４乃至図１２に示す実施例において、第１及び第２の連結具３１、３２は楔状体を含む。楔状体は、接触面１３を貫通する構造により隣接する半割り部材１を結合し、又は、凸部１１を貫通する構造により隣接する筒状体３０を連結する。即ち、半割り部材の結合構造と、筒状体の連結構造とは、ともに楔状体を含む。実施例２において説明したように、雨水等貯留浸透施設用構造体の組み立ては、半割り部材の載置、結合を分離して行うことができるのと同様に、筒状体３０の配置、連結を分離して行うことができる。しかも、半割り部材１の結合構造と、筒状体３０連結構造とはともに、楔状体が打設される点で実質的に同一の構造である。従って、構造体は連結具を用いた結合態様により、一連の組立態様において、結合又は連結構造を容易に実現することができるとともに、施工条件に合わせた構造体を提供することができる。例えば、第１及び第２の連結具３１、３２の設置数を増加することにより、より優れた構造的強度を有する構造体を提供しうることは自明である。
【００６７】
図１３は、本発明に係る雨水等貯留浸透施設を示す断面図である。雨水等貯留浸透施設は、雨水等貯留浸透施設用構造体３を含む。雨水等貯留浸透施設用構造体３は、図１乃至図１２を参照して説明したものである。従って、図１乃至図１２の説明で述べた全ての利点が、上述した雨水等貯留浸透施設でも得られることは明らかである。
【００６８】
雨水等貯留浸透施設用構造体３は、設置穴４に設置され、地中に埋設されている。雨水等貯留浸透施設が、貯留施設である場合、設置穴４の内壁面と、雨水等貯留浸透施設用構造体３の外周面との間には遮水層６が設けられる。これは、雨水等の貯留を主目的としていることに起因する。そして、雨水等貯留施設には、一般に、排水装置等が隣接配置される。
【００６９】
これに対し、雨水等貯留浸透施設が、浸透施設である場合、透水層６が備えられる。透水層６は、通常、不織布等の透水性素材を含み、施設内部に対する異物混入を防止すると共に、貯留された雨水等の排出部として機能する。
【００７０】
雨水等貯留浸透施設用構造体３の上部には、好ましくは保護層７が設けられる。保護層７は、通常、土、砂利、コンクリート、または、アスファルト等を含み、主に地表面からの押圧力、または、衝撃に耐えるとともに、施設内部への異物混入を防止する機能を有する。
【００７１】
注水管８は、別異の装置で集水した雨水等を、処理施設内に注入する機能を有する。注水管８は、周知の方法により、雨水等貯留浸透施設用構造体３に挿入されている。上述した注水管８の配置によると、雨水等は雨水等貯留浸透施設用構造体３の内部を三次元方向に拡散しつつ円滑に流入する。
【００７２】
上述したように、雨水等貯留浸透施設用構造体３は、図１乃至図１２に示した雨水等貯留浸透施設用構造体の利点を全て有する。例えば、雨水等貯留浸透施設用構造体３は、複数の筒状体３０と、第１及び第２の連結具３１、３２とを含む。複数の筒状体３０は、それぞれ隣接する凸部１１が、第１及び第２の連結具３１、３２により連結されている。凸部１１は、内周面１１０及び外周面１２０において軸方向に交互に連続し、且、径方向に延びるから、上述した結合構造を、任意の場所で実行することができる。従って、雨水等貯留浸透施設用構造体３の結合態様を容易に実行することができる。また、任意の場所で結合することができるから、優れた構造的強度を有することができる。さらに、筒状体３０を任意の規模で連結できるから、雨水等貯留浸透施設用構造体３は、設置場所の寸法に容易に追従することができる。
【００７３】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００７４】
【図１】本発明に係る雨水等貯留浸透施設用半割り部材の斜視図である。
【図２】図１に示した雨水等貯留浸透施設用半割り部材の側面図である。
【図３】図１に示した雨水等貯留浸透施設用半割り部材の底面図である。
【図４】本発明に係る雨水等貯留浸透施設用構造体の分解構造図である。
【図５】図４に示した雨水等貯留浸透施設用構造体の斜視図である。
【図６】本発明に係る雨水等貯留浸透施設用構造体の異なる実施例を示す斜視図である。
【図７】本発明に係る雨水等貯留浸透施設用構造体の異なる実施例を示す斜視図である。
【図８】図７に示した雨水等貯留浸透施設用構造体の平面図である。
【図９】図７に示した雨水等貯留浸透施設用構造体の内部構造を示す図である。
【図１０】本発明に係る雨水等貯留浸透施設用構造体のさらに異なる実施例を示す斜視図である。
【図１１】図１０に示した１１−１１線に沿った断面図である。
【図１２】本発明に係る雨水等貯留浸透施設用構造体のさらに異なる実施例を示す斜視図である。
【図１３】本発明に係る雨水等貯留浸透施設を示す断面図である。
【符号の説明】
【００７５】
１        雨水等貯留浸透施設用半割り部材
１０      基体部
１１      凸部
１２      凹部
１３      接合面
１１０    内周面
１２０    外周面
３        雨水等貯留浸透施設用構造体
３０      筒状体
３００    中空部
３１      第１の連結具
３２      第２の連結具
３２１    楔
３２２    連結板
６        透水層又は遮水層
【図１】
2005036569.tif 000003
【図２】
2005036569.tif 000004
【図３】
2005036569.tif 000005
【図４】
2005036569.tif 000006
【図５】
2005036569.tif 000007
【図６】
2005036569.tif 000008
【図７】
2005036569.tif 000009
【図８】
2005036569.tif 000010
【図９】
2005036569.tif 000011
【図１０】
2005036569.tif 000012
【図１１】
2005036569.tif 000013
【図１２】
2005036569.tif 000014
【図１３】
2005036569.tif 000015